(57)【要約】【課題】  枠体の角度を自在に変化させることによって狭い空間などの場所を選ばず効率的に乾燥対象物を乾燥させることのできるハンガーを開発すること。【解決手段】  支軸４を中央にして、支軸４の両側に複数個のピンチ８を装着した枠体２ａ、枠体２ｂを上下回動自在に取り付け、支軸４のほぼ中央部に垂直に支柱３を固定し、支柱３の上方部に索条物６を通す挿通部７を設け、また支柱３の上方端にフック１０を取り付けると共に、支柱３に対して固定させたり上下動させたりできる固定部材５を設け、一端を枠体に取り付けた索条物６を支柱３の上方部に設けられた挿通部７に通して、その他端を固定部材５に取り付ける構成のハンガーであって、固定部材５を支柱３に対して上下動させて固定することにより両枠体をＶ字状や逆Ｖ字状に上下動させて固定することが可能である。【選択図】図１
2010179072.tif 000002
【特許請求の範囲】
【請求項１】
支軸を中央にして支軸の両側に複数個のピンチを装着した枠体を上下回動自在に取り付け、両枠体をワイヤー等の索条物を介して支持し、フックにより吊り下げるようにしたハンガーにおいて、支軸のほぼ中央部に支柱を固定し、支柱の上方部に索条物を通す挿通部を設け、また支柱の上方端にフックを取り付けると共に、支柱に対して固定させたり上下動させたりできる固定部材を設け、一端を枠体に取り付けた索条物を支柱の上方部に設けられた挿通部に通して、その他端を固定部材に取り付ける構成として、固定部材を支柱に対して上下動固定することにより両枠体を上下動固定させることを特徴とするハンガー。
【発明の詳細な説明】
【技術分野】
【０００１】  本発明は乾燥対象物を乾燥するためのハンガーに関するものである。
【背景技術】
【０００２】  一般のハンガーは矩形や円形の枠体が設けられ、この枠体に複数のピンチが金属製の鎖やプラスチック製の紐体等で設けられている。そして、枠体上部にはフック形等の吊り下げ具が設けられている。このようなハンガーの使用方法は物干し竿等に吊り下げ具をかけて下垂させて枠体が水平になるようにし、ピンチに乾燥対象物を挟んだ状態で乾かすものである。しかしこの様な枠体が水平な構成では日光や風が外周にしか当たらないので中央の乾燥対象物が乾きにくいという問題があった。このような問題に対して日光や風の当たりやすい外側の位置に中央の乾燥対象物を移動させているが、移動させているという余計な手間がかかっていた。【０００３】  そこで中央を乾きやすくするため、例えば図９に図示している実開平６−１５５７９号公報に記載されているハンガーが開発されている。このハンガーは枠体１０２に直接フック１１０を取り付け、そのフック１１０の移動により重心位置を調節し、ハンガーが付いた枠体全体を一方向のみに傾斜させ乾燥対象物を乾燥させようとしている構成である。【０００４】  また、図１０に図示しているように特開２００６−２３９０１９号公報に記載されているハンガーも斜めにして日当たりをよくし、乾きやすくしているが、枠体２０２の傾斜角度は支軸両端部の回動部材を受止する構造の角度が一定な構成であるので枠体２０２の傾斜角度は一定にしか傾斜させることができないハンガーである。
【先行技術文献】
【特許文献】
【０００５】
【特許文献１】実開平６−１５５７９号公報
【特許文献２】特開２００６−２３９０１９号公報
【発明の概要】
【発明が解決しようとする課題】
【０００６】  これら文献に記載されているハンガーは乾燥対象物を効率よく乾燥させるために枠体を傾斜するように開発されているが、角度が一定に設定されているので、風の作用が乾燥対象物の下部にしか及ばず、日光の照射においては枠体が谷間になるため枠体の中心部に近い乾燥対象物の乾燥が改良されているといっても、乾燥対象物によっては相変わらず乾きにくいという問題がある。【０００７】  また、一般のハンガーや実開平６−１５５７９号公報や特開２００６−２３９０１９号公報に記載されているハンガーは、乾燥場所が狭いと枠体の大きさが一定であるので、狭い空間での使用にも限りがあった。しかも、最近では日本の住宅事情、家族構成は、建売一戸建て、マンション、アパートなどの狭い住宅が多数を占め、共働き、独りのもなどが多く、洗濯乾燥物を隣地との狭い屋外、ベランダ、室内等に干さなければならないのが現状であるが枠体の大きさが一定であるので、狭い空間での使用にも限りがある
【課題を解決するための手段】
【０００８】  そこで、これらの課題を解決するために、本発明のハンガーは、支軸を中央にして支軸の両側に複数個のピンチを装着した枠体を上下回動自在に取り付け、両枠体をワイヤー等の索条物を介して支持し、フックにより吊り下げるようにしたハンガーにおいて、支軸のほぼ中央部に支柱を固定し、支柱の上方部に索条物を通す挿通部を設け、また支柱の上方端にフックを取り付けると共に、支柱に対して固定させたり上下動させたりできる固定部材を設け、一端を枠体に取り付けた索条物を支柱の上方部に設けられた挿通部に通して、その他端を固定部材に取り付ける構成として、固定部材を支柱に対して上下動固定することにより両枠体を上下動固定させることを特徴とするものである。【０００９】  本願発明は、固定部材を支柱に対して上下動固定することにより両枠体を上下動させる構成にすることによって、支柱の中心に固定部材が固定された時に枠体が水平になり、固定部材を支柱の下部位置に固定することにより枠体がＶ字状になり、固定部材を支柱の上部位置に固定することにより枠体が逆Ｖ字状になるように構成されている。【００１０】  また、固定部材を可動させることができるので両枠体を上下動固定させることにより枠体の幅を調整できるものである。【００１１】  支柱に対して固定させたり上下動させたりできる固定部材を設け、一端を枠体に取り付けた索条物を支柱の上方部に設けられた挿通部に通して、その他端を固定部材に取り付ける構成としたので、簡単な構造により自在に枠体の角度を変える事が可能である。しかも固定部材を上下させるという軽度な作業で自在に枠体の角度を変えることが可能である。
【発明の効果】
【００１２】  本願発明は固定部材を支柱に対して上下動固定することにより両枠体をＶ字状や逆Ｖ字状に上下動させることができるので、日光の当たり具合や風の当たり具合により枠体の角度を調整して未乾燥の乾燥対象物のよい位置に変えることができる。この作用により未乾燥の乾燥対象物を日光の当たる位置にピンチから取り外し移動させ再度、移動先のピンチに挟み込んで乾燥させる手間を省く事が可能である。【００１３】  そして自在に角度を変えることができるので、狭い屋外や屋内の限られた空間を最大限に活用することが可能であり、軽度な操作で開閉が可能なので急な雨や急な外出の時などのハンガーの取り込みなども容易にする事が可能である。
【図面の簡単な説明】
【００１４】
【図１】  本発明にかかるハンガーの枠体を水平にした状態を表した図面。
【図２】  枠体をＶ字状にした状態を表した図面。
【図３】  枠体を逆Ｖ字状にした状態を表した図面。
【図４】  本発明にかかるハンガーの支柱の図面。
【図５】  固定部材の内部留具の図面。
【図６】  固定部材の内部留具を取った図面。
【図７】  固定部材として組立てをした図面。
【図８】  図７の固定部材の斜視図。
【図９】  従来例を表した図面。
【図１０】  別の従来例を表した図面。
【発明を実施するための形態】
【００１５】  以下本発明にかかるハンガーについて図１から図８に基づいて説明する。
【００１６】  図１は、支軸４を中央にして、この支軸に上下回動自在に枠体２ａ及び２ｂを取り付けたハンガーある。枠体下面には複数のピンチ８を鎖又は紐等で吊り下げた状態に取り付ける。枠体２ａ及び枠体２ｂの上面には支軸４の中心に垂直に取り付けられたフック１０が取り付けられている。支柱３に付属の固定部材５から支柱３の上部付近に取り付けられた挿通部７を通過し、放射状に枠体２ａ及び枠体２ｂの枠体角部Ｅ、枠体角部Ｆ、枠体角部Ｇ、枠体角部Ｈ部分に索条物６が連結されている。
【００１７】  枠体２ａ、枠体２ｂは支軸４に回動自在に枢支されている構造により、Ｖ字型および逆Ｖ字型に自在に角度を変化させることが可能である。
【００１８】  素材については、枠体２ａ、枠体２ｂ、支柱３、支軸４、固定部材５、挿通部７、ピンチ８及びフック１０は金属又はプラスチック等の劣化や腐食のしにくい強度のある材質ならば、特に限定するものではない。
【００１９】  索条物６及びピンチ吊り下げ具９は棒状、ワイヤー状、紐状及び鎖等の形状で金属又はプラスチック等の劣化や腐食のしにくい強度のある素材ならばよく、特に限定するものではない。
【００２０】  索条物６は挿通部７の作用を妨げる事の無い素材や形状が望ましい。
【００２１】  フック１０の形については吊り下げたり引っ掛けたりでき、ハンガーの機能が十分に果たせる構成であればよく、特に限定するものではない。
【００２２】  図２、図３は支柱３に取り付けられている固定部材５を可動させ、固定させ、ハンガーに傾斜を設けたＶ字状、逆Ｖ字状の状態を表した図である。固定部材５を移動させ、固定することにより自然に傾斜が設けられるようになっている。
【００２３】  索条物６が挿通部７を通過することにより加重の付加が軽減され枠体２ａ及び枠体２ｂの両端部及び固定部材５の移動を容易にすることが可能となる。
【００２４】  また挿通部７においては滑車状にすることにより加重の負荷がより軽減されるが加重の負荷が軽減される構造ならばよく、特に限定するものではない。
【００２５】  図５から図８には、固定部材５の構成が記載されている。この固定部材５は内部留具５ａ、バネ５ｂ、押出し具５ｃ、索条物を連結できる仕掛けを施した薄い箱型で、箱型の側面がコの字型にされ内部留具５ａ、バネ５ｂの一端に接続された押出し具５ｃが挿入できる外枠５ｄからなり、内部留具５ａ及び外枠５ｄの中央付近には支柱３が通る空間が作られている。
【００２６】  固定部材５の外枠５ｄ内部にバネ５ｂの一端に連結された押出し具５ｃを挿入し、押出し具５ｃに連結されたバネ５ｂの押出し具５ｃに連結されていない他端を外枠５ｄ内部のコの字型の挿入口の反対側に連結させ、内部留具５ａを挿入し、内部留具５ａ、外枠５ｄを重ね、内部留具５ａ、外枠５ｄ中央付近に設けられた空間に支柱３が通されている。
【００２７】  図４は支柱３の仕組みである。支柱３に切り込みを入れ、固定部材５に挿入されている内部留具５ａを押しながら固定部材５を移動させ、希望の位置で固定部材５に挿入されている内部留具５ａを放すと固定部材５の内部留具５ａがその切り込み内にはまり込むと固定部材５の内側に施したバネ５ｂの作用により内部留具５ａが支柱３で止まる仕組みである。
【００２８】  支柱３の中心に固定部材５が固定された時に枠体２ａ、枠体２ｂが地面から水平になり、支柱３の中心より下に移動する度に枠体２ａ及び枠体２ｂ両外側端部に設けられた枠体角部Ｅ、枠体角部Ｆ、枠体角部Ｇ、枠体角部Ｈに接続された索条物６が引っ張られ、Ｖ字状の傾斜角度が小さくなり、支柱３の中心より上に移動する度に逆Ｖ字状の傾斜角度が小さくなる。この作用により乾燥対象物の中心部分の乾きが悪い時には固定部材５を上下に移動し風当たりや日当たりの良い位置でＶ字状や逆Ｖ字状の傾斜角度を調整することができる。
【００２９】  このハンガーは支軸４の中心に垂直に取り付けられた支柱３に取り付けられているフック１０を物干し竿等にかけて下垂させ、支柱３に付属の固定部材５を移動させ枠体２ａ及び枠体２ｂを水平又は傾斜させ、金属製の鎖やプラスチック製の紐等でつり下げられた複数のピンチ８に乾燥対象物を挟んで乾かす。日照時間の短い冬場の乾燥や室内での乾燥にはＶ字状や逆Ｖ字状に変化させることにより効率的に乾燥させることができる。
【００３０】  支柱３の長さや切り込みの数により角度調整の幅を広げることができるので支柱３の長さや切込みの数を特に限定するものではない。
【００３１】  固定部材５の構成においては枠体２ａ、枠体２ｂを上下回動自在にでき、枠体２ａ、枠体２ｂの角度を自由に固定できればよく、特に限定するものではない。
【００３２】  枠体の形状は、角度の調整、固定が自由にでき、枠体が安定すればよく、特に限定するものではない。
【符号の説明】
【００３３】  １      ハンガー
２ａ    枠体
２ｂ    枠体
３      支柱
４      支軸
５      固定部材
５ａ    内部留具
５ｂ    バネ
５ｃ    押出し具
５ｄ    外枠
６      索条物
７      挿通部
８      ピンチ
９      ピンチ吊り下げ具
１０      フック
Ｅ      枠体角部
Ｆ      枠体角部
Ｇ      枠体角部
Ｈ      枠体角部
１０２    従来例の枠体
１１０    従来例のフック
２０２    別の従来例の枠体
２１０    別の従来例のフック
【図１】
2010179072.tif 000003
【図２】
2010179072.tif 000004
【図３】
2010179072.tif 000005
【図４】
2010179072.tif 000006
【図５】
2010179072.tif 000007
【図６】
2010179072.tif 000008
【図７】
2010179072.tif 000009
【図８】
2010179072.tif 000010
【図９】
2010179072.tif 000011
【図１０】
2010179072.tif 000012
【手続補正書】
【提出日】平成21年9月18日(2009.9.18)
【手続補正１】
【補正対象書類名】特許請求の範囲
【補正対象項目名】請求項１
【補正方法】変更
【補正の内容】
【請求項１】
支軸を中央にして支軸の両側に複数個のピンチを装着した枠体を上下回動自在に取り付け、両枠体を両枠体外側端部の各枠体角部に接続したワイヤー等の索条物を介して支持し、フックにより吊り下げるようにしたハンガーにおいて、支軸のほぼ中央部に垂直に支柱を固定し、支柱の上方部に索条物を通す挿通部を設け、また支柱の上方端にフックを取り付けると共に、支柱に対して固定させたり上下動させたりできる固定部材を設け、一端を両枠体外側端部の各枠体角部に取り付けた索条物を支柱の上方部に設けられた挿通部に通して、その他端を固定部材に取り付ける構成として、固定部材を支柱に対して上下動することにより両枠体を上下動させ、任意の位置で固定部材を固定させることにより両枠体を固定させることを特徴とするハンガー。
【手続補正２】
【補正対象書類名】明細書
【補正対象項目名】０００８
【補正方法】変更
【補正の内容】
【０００８】  そこで、これらの課題を解決するために、本発明のハンガーは、支軸を中央にして支軸の両側に複数個のピンチを装着した枠体を上下回動自在に取り付け、両枠体を両枠体外側端部の各枠体角部に接続したワイヤー等の索条物を介して支持し、フックにより吊り下げるようにしたハンガーにおいて、支軸のほぼ中央部に垂直に支柱を固定し、支柱の上方部に索条物を通す挿通部を設け、また支柱の上方端にフックを取り付けると共に、支柱に対して固定させたり上下動させたりできる固定部材を設け、一端を両枠体外側端部の各枠体角部に取り付けた索条物を支柱の上方部に設けられた挿通部に通して、その他端を固定部材に取り付ける構成として、固定部材を支柱に対して上下動することにより両枠体を上下動させ、任意の位置で固定部材を固定させることにより両枠体を固定させることを特徴とするものである。
【手続補正３】
【補正対象書類名】明細書
【補正対象項目名】０００９
【補正方法】変更
【補正の内容】
【０００９】  本願発明は、固定部材を支柱に対して上下動させ、任意の位置で固定することにより両枠体を上下動させて固定させる構成にすることによって、支柱の中心に固定部材が固定された時に枠体が水平になり、固定部材を支柱の下部位置に固定することにより枠体がＶ字状になり、固定部材を支柱の上部位置に固定することにより枠体が逆Ｖ字状になるように構成されている。
【手続補正４】
【補正対象書類名】明細書
【補正対象項目名】００１０
【補正方法】変更
【補正の内容】
【００１０】  また、固定部材を可動させることができるので両枠体を上下動させ、任意の位置で固定させることにより枠体の幅を調整できるものである。
【手続補正５】
【補正対象書類名】明細書
【補正対象項目名】００１２
【補正方法】変更
【補正の内容】
【００１２】  本願発明は固定部材を支柱に対して上下動させ、任意の位置で固定することにより両枠体をＶ字状や逆Ｖ字状に上下動させて固定させることができるので、日光の当たり具合や風の当たり具合により枠体の角度を調整して未乾燥の乾燥対象物のよい位置に変えることができる。この作用により未乾燥の乾燥対象物を日光の当たる位置にピンチから取り外し移動させ再度、移動先のピンチに挟み込んで乾燥させる手間を省く事が可能である。
【手続補正６】
【補正対象書類名】明細書
【補正対象項目名】００１６
【補正方法】変更
【補正の内容】
【００１６】  図１は、支軸４を中央にして、この支軸に上下回動自在に枠体２ａ及び２ｂを取り付けたハンガーある。枠体下面には複数のピンチ８を鎖又は紐等で吊り下げた状態に取り付ける。枠体２ａ及び枠体２ｂの中央の支軸４の上面のほぼ中央部に垂直に支柱３が固定され、支柱３の上部付近には索条物６が通過する挿通部７が取り付けられ、上方端にはフック１０が取り付けられている。支柱３に付属の固定部材５から支柱３の上部付近に取り付けられた挿通部７を通過し、放射状に枠体２ａ及び枠体２ｂの枠体角部Ｅ、枠体角部Ｆ、枠体角部Ｇ、枠体角部Ｈ部分に索条物６が連結されている。